(57)【要約】【課題】  筆記ツールのペン色、ペンタイプ、ツール種類を容易に変更可能であり、実際に様々なツールを用いて書いたような筆跡を保存して、コンピュータのモニタで表示することができるデジタルノートパッドを提供すること。【解決手段】  筆記ツール２は、筆記時にペン色、ペンタイプ、ツールの種類に対応した周波数の信号を発信する発信回路を有し、デジタルノートパッド本体１は、発信回路からの信号を受信する受信部と、周波数に基づく信号の種類と、筆記ツール２が筆跡をメモリに保存し、メモリ内のデータをコンピュータで表示する時、メモリに保存されたデータ形式を認識し、メモリから読み取ったデータを図形等の特定形態に変換すると共に、コンピュータに適応したファイル形式に変換する制御部と、ペン色、ペンタイプ、ツール種類を表示するディスプレイウィンドウ１１とを備える。【選択図】        図１
0003114797.tif 000002
【実用新案登録請求の範囲】
【請求項１】
デジタルペンを含む複数の筆記ツールと、デジタルノートパッド本体とから成り、前記筆記ツールは、筆記を行った時に、ペン色、ペンタイプ、ツール種類に対応して予め設定された周波数の信号を発する発信回路をそれぞれ有し、前記デジタルノートパッド本体は、制御部、受信部、メモリ及びディスプレイウィンドウを備え、前記受信部は、前記筆記ツールの発信回路が発信した信号を受信し、前記制御部は、周波数に基づく受信信号の種類と、前記筆記ツールが書いた筆跡とを前記メモリへ保存し、且つ、前記メモリに保存されたデータをコンピュータのモニタで表示するとき、前記メモリに保存したデータ形式を認識し、前記メモリから読み取ったデータを対応する色、形等の特別形態に変換すると共に、前記コンピュータに適応したファイル形式に変換し、前記ディスプレイウィンドウは、前記受信部が受信した信号に対応してペン色、ペンタイプ、ツールの種類を表示することを特徴とした認識機能を備えたデジタルノートパッド。
【請求項２】
前記ディスプレイウィンドウに、ペン色、ペンタイプ、ツールの種類が、図形や記号、又は図形と色との組み合わせで表示される請求項１に記載の認識機能を備えたデジタルノートパッド。
【請求項３】
前記デジタルペンは、ペン色、ペンタイプの異なるものと交換可能な実体ペン芯を有し、前記デジタルノートパッドの筆記作業エリア上に配置した紙面に筆記することができるものである認識機能を備えたデジタルノートパッド。
【請求項４】
信号の周波数を変えることにより、この信号と対応する機能を変更可能とした請求項１乃至３のいずれかに認識機能を備えたデジタルノートパッド。
【考案の詳細な説明】
【技術分野】
【０００１】
本考案は、認識機能を備えたデジタルノートパッドに関する。
【背景技術】
【０００２】
現在、市販されているデジタルノートパッドは、専用のデジタルペンを有し、このデジタルペンで筆記した時の筆跡をデータとして保存するようになっている。
しかし、従来のデジタルペンは、単一的な筆記機能しか備えておらず、ペン色（ペン芯の色）、ペンタイプ（サインペン、蛍光ペン等）の変換機能を有していなかった。従って、コンピュータファイル上では、全ての筆跡が単一色、単一種類の線となってしまい、色や線種を変更したい場合には、後から特別なソフトウェアを用いて修正を加える必要がある。  
このような、修正や変更は、時間や労力を要するだけでなく、デジタルノートパッドとコンピュータとの編集プログラムが対応していなければできないため、非常に不便で、使用上の大きな制約となっていた。
【考案の開示】
【考案が解決しようとする課題】
【０００３】
本考案が解決しようとする課題は、筆記ツールのペン色、ペンタイプ、ツール種類を容易に変更可能であり、実際に様々なツールを用いて書いたような筆跡を保存し、これを簡単にコンピュータのモニタで表示することができるデジタルノートパッドを提供することにある。
【課題を解決するための手段】
【０００４】
本考案のデジタルノートパッドは、デジタルペンを含む複数の筆記ツールと、デジタルノートパッド本体とから成り、前記筆記ツールは、筆記を行った時に、ペン色、ペンタイプ、ツール種類に対応して予め設定された周波数の信号を発する発信回路をそれぞれ有し、前記デジタルノートパッド本体は、制御部、受信部、メモリ及びディスプレイウィンドウを備え、前記受信部は、前記筆記ツールの発信回路が発信した信号を受信し、前記制御部は、周波数に基づく受信信号の種類と、前記筆記ツールが書いた筆跡とを前記メモリへ保存し、且つ、前記メモリに保存されたデータをコンピュータのモニタで表示するとき、前記メモリに保存したデータ形式を認識し、前記メモリから読み取ったデータを対応する色、形等の特別形態に変換すると共に、前記コンピュータに適応したファイル形式に変換し、前記ディスプレイウィンドウは、前記受信部が受信した信号に対応してペン色、ペンタイプ、ツールの種類を表示する。
【０００５】
以下の構成を採用することもある。  
前記ディスプレイウィンドウに、ペン色、ペンタイプ、ツールの種類が、図形や記号、又は図形と色との組み合わせで表示される構成。  
前記デジタルペンは、ペン色、ペンタイプの異なるものと交換可能な実体ペン芯を有し、前記デジタルノートパッドの筆記作業エリア上に配置した紙面に筆記することができるものである構成。  
信号の周波数を変えることにより、この信号と対応する機能を変更可能とした構成。
【考案の効果】
【０００６】
本考案によれば、様々な筆記ツールを用いて実際に筆記したかのような筆跡を保存すると共に、これをコンピュータのモニタで表示することができ、しかも、後からコンピュータ操作によってデータを修正することなく、簡単に筆記ツールの機能を変更することができる。
【考案を実施するための最良の形態】
【０００７】
以下、本考案の実施例を図面に基づいて詳細に説明する。  
図１に示すように、本考案のデジタルノートパッドは、デジタルノートパッド本体１と、デジタルペンを含む複数の筆記ツール２とから成る。  
デジタルノートパッド本体１は、その表面に、ディスプレイウィンドウ１１、ＯＮ／ＯＦＦ等を制御する制御ボタン１２及び筆記作業エリア１３を有する。
【０００８】
図４に示すように、デジタルノートパッド本体１には、電源回路１０、受信アンテナ１４、信号増幅回路１７、信号比較回路１９、制御部１６、メモリカード、内蔵メモリ等のメモリ１５、及び、ＵＳＢコネクタ１８が設けられる。
受信アンテナ１４、信号増幅回路１７及び信号比較回路１９は受信部を構成し、受信部が制御部１６へ接続されている。
また、デジタルノートパッド本体１の表面に設置されたディスプレイウィンドウ１１も制御部１６へ接続されており、電源回路１０は外部電源へ接続される。
【０００９】
筆記ツール２としては、デジタルペン以外に、消しゴム、コンパス等がある。  
筆記ツール２は、図５に示すように、電源（電池）２２、発信スイッチ２３、発信コイル２４及びコンデンサ群２５を含む発信回路を備える。  
筆記ツール２を用いてデジタルノートパッド本体１の筆記作業エリア１３上で筆記を行うと、ペン先に加わる圧力によって、発信スイッチ２３が働き、発信回路は、発信コイル２４とコンデンサ群２５とによって決定された周波数の信号を発する。  
信号の周波数と、筆記ツール２の機能（ペン色、ペンタイプ、ツールの種類）とが対応するよう定義されており、筆記ツール２を操作してコンデンサ群２５の接続状況を変えることにより、発信する信号の周波数を変え、対応する機能を変更することができる。
【００１０】
また、筆記ツール２の内、デジタルペンは実体ペン芯２０を有し、実際に筆記作業エリア１３上に配置した紙面へ筆記して、筆跡を紙面上で確認できるようになっている。なお、実体ペン芯２０は、ペン色、ペンタイプの異なるものと交換可能である。  
さらに、筆記ツール２には表示部２１が設けられ、発信している信号と対応する機能（ペン色、ペンタイプ、ツールの種類）が表示部２１にマーク等によって表示される。このため、使用者は、現在どのような筆記ツール２を用いて何色で筆記しているのかを知ることができる。
【００１１】
図２に示すように、デジタルノートパッド本体１の受信アンテナ１４は、筆記ツール２の発信回路から発信された信号を受信し、信号増幅回路１７及び信号比較回路１９を介して制御部１６へ送る。
制御部１６は、受信した信号の周波数によって、筆記ツール２の機能（ペン色、ペンタイプ、ツールの種類）を判断し、この機能をディスプレイウィンドウ１１に図形や記号、又は、図形と色との組み合わせによって表示すると共に、予め設定されているファイル形式でメモリ１５に機能別の信号の種類を保存する。  
同時に、筆記作業エリア１３に加わった圧力を信号として受信すると、制御部１６はこの信号によって筆跡ツール２の筆跡を認識し、認識した筆跡を設定されているファイル形式でメモリ１５に保存する。
【００１２】
デジタルノートパッド本体１の制御部１６には、メモリ１５内に保存されたデータの形式を認識できる認識カーネルと、認識データを色、形等の特定の形態に変換できるサブプログラムと、異なるファイル形式に変換できる変換プログラムとを有するアプリケーションプログラムが組み込まれている。  
従って、デジタルノートパッド本体１のメモリ１５に保存されているデータをコンピュータのモニタで表示する場合には、ＵＳＢコネクタ１８をコンピュータに接続すると、制御部１６が、メモリ１５に保存されたデータ形式を認識し、メモリ１５から読み取ったデータを対応する色、形等の特定形態に変換すると共に、コンピュータに適応したファイル形式に変換して送信し、筆記ツール２の機能として選択したペン色、ペンタイプ、ツール種類によって、実際に筆記作業エリア１３へ書いたままの内容を、モニタに表示する。
【００１３】
なお、ペン色とは、ペン芯の色、即ち、筆跡の色であり、ペンタイプとは、サインペン、蛍光ペン、鉛筆、毛筆のようなペンの種類であり、ツールの種類とは、デジタルペン、コンパス、消しゴムのような筆記ツール２の種類である。
【図面の簡単な説明】
【００１４】
【図１】本考案の実施例を示すデジタルノートパッドの平面図。
【図２】信号処理の過程を示す流れ図。
【図３】制御部によるデータ処理過程を示す流れ図。
【図４】デジタルノートパッド本体の各装置の関係を示すブロック図。
【図５】発信回路の回路図。
【符号の説明】
【００１５】
１  デジタルノートパッド本体
２  筆記ツール
１０  電源回路
１１  ディスプレイウィンドウ
１２  制御ボタン
１３  筆記作業エリア
１４  受信アンテナ
１５  メモリ
１６  制御部
１７  信号増幅回路
１８  ＵＳＢコネクタ
１９  信号比較回路
２０  実体ペン芯
２１  表示部
２２  電源
２３  発信スイッチ
２４  発信コイル
２５  コンデンサ群
【図１】
0003114797.tif 000003
【図２】
0003114797.tif 000004
【図３】
0003114797.tif 000005
【図４】
0003114797.tif 000006
【図５】
0003114797.tif 000007
【手続補正書】
【提出日】平成17年7月22日(2005.7.22)
【手続補正１】
【補正対象書類名】実用新案登録請求の範囲
【補正対象項目名】請求項３
【補正方法】変更
【補正の内容】
【請求項３】
前記デジタルペンは、ペン色、ペンタイプの異なるものと交換可能な実体ペン芯を有し、前記デジタルノートパッドの筆記作業エリア上に配置した紙面に筆記することができるものである請求項１又は２に記載の認識機能を備えたデジタルノートパッド。
【手続補正２】
【補正対象書類名】実用新案登録請求の範囲
【補正対象項目名】請求項４
【補正方法】変更
【補正の内容】
【請求項４】
信号の周波数を変えることにより、この信号と対応する機能を変更可能とした請求項１乃至３のいずれかに記載の認識機能を備えたデジタルノートパッド。